(57)【要約】【課題】  最も目立つ壁の上下方向の中間部分や掃除がし難い上部においては汚れが付き難くて長期間綺麗な外観を維持できる。目立ち難い壁の下部において調湿やＶＯＣ物質を吸着・分解等の室内空気の調整機能があると共に汚れが付着しても掃除がし易い。【解決手段】  居室１の壁２の上下方向の中間部及び上部の表面が耐汚染性を有する耐汚染性壁部３となっている。また、壁２の下部が調湿性又は／及び揮発性有機化合物を吸着・分解する機能を有する室内空気調整用壁部４となっている。【選択図】        図１
2005336838.tif 000002
【特許請求の範囲】
【請求項１】
居室の壁の上下方向の中間部及び上部の表面が耐汚染性を有する耐汚染性壁部となり、且つ、壁の下部が調湿性又は／及び揮発性有機化合物を吸着・分解する機能を有する室内空気調整用壁部となっていることを特徴とする居室の壁の構造。
【請求項２】
請求項１の居室の壁の構造に用いるための内装用壁パネルであって、居室の壁と同じ上下長さを有し且つ少なくとも下部に調湿性を有する多孔質材料を含んでいる基材の表面の上下方向の中間部及び上部に耐汚染性塗装層を形成し、基材の表面の下部に通気性塗装層又は／及び揮発性有機化合物を吸着・分解する機能を有する塗装層を形成して成ることを特徴とする内装用壁パネル。
【請求項３】
請求項１の居室の壁の構造に用いるための内装用壁パネルであって、居室の壁と同じ上下長さを有する無機質基材の表面の上下方向の中間部及び上部に耐汚染性塗装層を形成し、無機質基材の表面の下部に調湿性を有する多孔質材料を含有する下地材を積層すると共に該下地材の表面に通気性塗装層又は／及び揮発性有機化合物を吸着・分解する機能を有する塗装層を形成して成ることを特徴とする内装用壁パネル。
【請求項４】
耐汚染性塗装層と、通気性塗装層又は／及び揮発性有機化合物を吸着・分解する機能を有する塗装層との、色又は模様又は光沢又は表面の突出状態又はこれらの２つ以上の組み合わせ状態を異ならせて外観が変えてあることを特徴とする請求項２又は請求項３記載の内装用壁パネル。
【発明の詳細な説明】
【技術分野】
【０００１】
本発明は、調湿性能や揮発性有機化合物を吸着・分解する機能を有する居室の壁の構造及びこれに用いる内装用壁パネルに関するものである。
【背景技術】
【０００２】
近年、住宅の高気密化、高断熱化、接着剤を用いた新建材や接着剤を用いた施工の普及に伴い、シックハウス病が問題となっている。この問題に対して、居室内の空気中に含まれるＶＯＣ物質を吸着・分解したり、居室内の湿気を調湿したりするといった、居室内の空気を調整する機能を備えた壁材が提案されている。
【０００３】
例えば、調湿機能を有した内装用壁パネルとして珪藻土を混入した内装用壁パネルが特許文献１や特許文献２により知られており、また、ＶＯＣ物質を吸着・分解する内装用壁パネルが特許文献３により知られている。
【０００４】
そして、上記特許文献１、特許文献２、特許文献３を用いて居室の壁を形成することで、該壁により居室内の空気の湿気の調湿をしたり、あるいは居室内の空気中のＶＯＣ物質を吸着・分解するようになっている。
【０００５】
ところが、上記の特許文献１、特許文献２、特許文献３に示される従来の内装用壁パネルを用いて居室の壁を構成した場合、調湿やＶＯＣ物質を吸着・分解する機能を備えた材料は一般的に多孔質材料を添加しており、また、表面も多孔質あるいは無数の微細孔を備えて通気性を確保するようになっているので、汚れが付着しやすいものであり、壁の上下方向の中間部分が汚れると、目線に最も近いため、汚れが目立ち、頻繁に汚れを除去する掃除が必要となる。また、壁の上部は手が届かず、壁の汚れを除去し難いという問題がある。
【０００６】
また、内装用の壁材として汚れが付き難いものや除去しやすいものとしてウレタン塗料で塗装したり、ＵＶ塗料で塗装して緻密な膜を表面に設けた耐汚染性壁材も提案されている。
【０００７】
しかし、この緻密な膜を表面に設けた耐汚染性壁材には調湿やＶＯＣ物質を吸着・分解等の室内空気の調整機能はない。
【特許文献１】登録実用新案第３０８５５８２号公報
【特許文献２】特開２００２−１３８６２４号公報
【特許文献３】特開２００１−６４０７３号公報
【発明の開示】
【発明が解決しようとする課題】
【０００８】
本発明は上記の従来の問題点に鑑みて発明したものであって、最も目立つ壁の上下方向の中間部分や掃除がし難い上部においては汚れが付き難くて長期間綺麗な外観を維持でき、目立ち難い壁の下部において調湿やＶＯＣ物質を吸着・分解等の室内空気の調整機能があると共に汚れが付着しても掃除がし易い居室の壁の構造及びこれに用いる内装用壁パネルを提供することを課題とするものである。
【課題を解決するための手段】
【０００９】
上記課題を解決するために本発明に係る居室の壁の構造は、居室１の壁２の上下方向の中間部及び上部の表面が耐汚染性を有する耐汚染性壁部３となり、且つ、壁２の下部が調湿性又は／及び揮発性有機化合物を吸着・分解する機能を有する室内空気調整用壁部４となっていることを特徴とするものである。
【００１０】
このような構成とすることで、居室１内において目線に近くて最も汚れが目立ちやすい壁２の上下方向の中間部及び中間部に比べると汚れが目立ち難いが汚れを除去するための掃除がしにくい壁の上部がいずれも耐汚染性を有する耐汚染性壁部３であるから、汚れ難く、一方、揮発性有機化合物（ＶＯＣ）、例えばホルムアルデヒドは空気よりも僅かに比重が重いため居室１の下部に溜まりやすくて壁２の下部に付着しやすく、また、居室１の下部は中間部や上部に比べて相対湿度が高くて壁２の下部にカビが発生し易いが、上記のように壁２の下部を調湿性又は／及び揮発性有機化合物を吸着・分解する機能を有する室内空気調整用壁部４により構成することで、壁２の下部の室内空気調整用壁部４により有害物質である揮発性有機化合物の除去や調湿作用を効果的におこなって室内空気の調整を行うことができ、しかも、壁２に調湿性又は／及び揮発性有機化合物を吸着・分解する機能を有する室内空気調整用壁部４を設けたといえども壁２の下部に設けてあるので、壁２の中間部に比べて居室１内にいる人の目線から遠くて汚れが目立ち難く、しかも下部であるため汚れが付着しても簡単に掃除して汚れの除去ができる。
【００１１】
また、本発明の内装用壁パネルは、居室の壁と同じ上下長さを有し且つ調湿性を有する多孔質材料を含有する基材５の表面の上下方向の中間部及び上部に耐汚染性塗装層６を形成し、基材５の表面の下部に通気性塗装層７又は／及び揮発性有機化合物を吸着・分解する機能を有する塗装層を形成して成ることを特徴とするものである。
【００１２】
このような構成とすることで、簡単な層構造の一枚ものの内装用壁パネル１０を施工するだけで、上記した中間部、上部に汚れが付き難く、下部において効果的に揮発性有機化合物の除去や調湿作用を効果的におこなって室内空気の調整ができると共に汚れの除去が簡単となるという作用を有する壁２を形成することが可能となる
また、内装用壁パネルが、居室の壁と同じ上下長さを有する無機質基材８の表面の上下方向の中間部及び上部に耐汚染性塗装層６を形成し、無機質基材８の表面の下部に調湿性を有する多孔質材料を含有する下地材９を積層すると共に該下地材９の表面に通気性塗装層７又は／及び揮発性有機化合物を吸着・分解する機能を有する塗装層を形成して成ることを特徴とするものであってもよい。
【００１３】
このような構成とすることで、一枚ものの内装用壁パネル１０を施工するだけで、上記した中間部、上部に汚れが付き難く、下部において効果的に揮発性有機化合物の除去や調湿作用を効果的におこなって室内空気の調整ができると共に汚れの除去が簡単となるという作用を有する壁２を形成することが可能となり、更に、コストの高い調湿性を有する多孔質材料を含有する下地材９が無機質基材８の表面の下部に設けるだけでよいので、低コストとなる。
【００１４】
また、内装用壁パネル１０における耐汚染性塗装層６と、通気性塗装層７又は／及び揮発性有機化合物を吸着・分解する機能を有する塗装層との、色又は模様又は光沢又は表面の突出状態又はこれらの２つ以上の組み合わせ状態を異ならせて外観が変えてあることが好ましい。
【００１５】
このような構成とすることで、中間部、上部と下部とで機能が異なる一枚ものの内装用壁パネル１０を施工する際に天地の区別が容易につき、誤って上下逆に施工するおそれがなく、また、下部の表面が中間部及び上部と異なった外観となることで、下部が腰壁として外観され、意匠性も向上し、商品価値の高い内装用壁パネル１０を提供できる。
【発明の効果】
【００１６】
本発明の居室の壁の構造は、居室内において目線に近くて最も汚れが目立ちやすい壁の上下方向の中間部及び中間部に比べると汚れが目立ち難いが汚れを除去するための掃除がしにくい壁の上部がいずれも汚れ難く、一方、揮発性有機化合物（ＶＯＣ）溜まりやすく、湿気でカビが発生し易い壁の下部において効果的に有害物質である揮発性有機化合物の除去や調湿作用して室内空気の調整を行うことができると共にこの壁の下部に調湿性又は／及び揮発性有機化合物を吸着・分解する機能を有する室内空気調整用壁部を設けたといえども壁下部であるため、壁の中間部に比べて居室内にいる人の目線から遠くて汚れが目立ち難く、しかも下部であるため汚れが付着しても簡単に掃除して汚れの除去ができ、これらの結果、壁の上下方向の全体を長期間綺麗に保つことができると共に効果的に有害物質である揮発性有機化合物の除去や調湿作用をして室内空気の調整を行うことができるものである。
【００１７】
また、本発明の内装用壁パネルは上記のような作用を有する壁の下部、中間部、上部を一枚ものの内装用壁パネルの施工で実現できるものである。更に、簡単な構成で天地を間違うことなく施工できる内装用壁パネルを提供できるものである。
【発明を実施するための最良の形態】
【００１８】
以下、本発明を添付図面に示す実施形態に基いて説明する。
【００１９】
建物の居室１の壁２は上下方向の中間部及び上部（図１において壁２の中間部と上部とをＸで示している）の表面が耐汚染性を有する耐汚染性壁部３となっており、壁２の下部（図１において壁２の下部をＹで示している）が調湿性又は／及び揮発性有機化合物を吸着・分解する機能を有する室内空気調整用壁部４となっている。
【００２０】
耐汚染性壁部３は例えば表面にウレタン塗料を塗装したりＵＶ塗料を塗装したりして表面に緻密な膜を形成することにより汚れが付着し難い層を形成することで構成してある。
【００２１】
室内空気調整用壁部４は室内空気の調湿をしたり、あるいは、室内空気中に含まれるホルムアルデヒドのような揮発性有機化合物（ＶＯＣ）を吸着・分解する機能を有している。室内空気調整用壁部４としては、例えば、珪藻土、アロフェン、ゼオライト等の調湿性、吸着性を有する多孔性材料を含有した調湿機能を有した層や、揮発性有機化合物（ＶＯＣ）を吸着・分解する機能を有する塗料を塗装した層等により構成してある。
【００２２】
また、居室１の天井１１は下面が耐汚染性を有する耐汚染性天井部１２により構成してあり、例えば、天井材の下面にウレタン塗料やＵＶ塗料を塗装して天井材の下面に緻密な膜を形成することにより汚れが付着し難い耐汚染性層を形成している。
【００２３】
上記のような構成において、図１に示すように、居室１の壁２の上下方向の中間部、上部の表面が耐汚染性を有する耐汚染性壁部３となっており、更に天井１１の下面が耐汚染性を有する耐汚染性天井部１２によりなっているので、居室１内において目線に近く、汚れが目立ちやすい壁２の上下方向の中間部と、手が届き難くて汚れが除去し難い壁２の上部と、天井１１とは汚れ難くなっている。
【００２４】
一方、居室１内において、壁２の下部が上記のように調湿性又は／及び揮発性有機化合物を吸着・分解する機能を有する室内空気調整用壁部４となっているので、壁２の下部において室内空気を調湿したり、あるいは、揮発性有機化合物を吸着・分解するといった室内空気の調整を行うものである。この場合、室内空間の下部は相対湿度が高くてカビが発生し易いという傾向にあり、また、新建材や接着剤などから発生するホルムアルデヒドなどは空気よりも僅かに比重が重いため居室１内の室内空間の下部に溜まり易いので、上記のように壁２の下部において調湿や揮発性有機化合物の吸着・分解を効果的に行って室内空気の調整を行うことができるものである。また、調湿性又は／及び揮発性有機化合物を吸着・分解する機能を有する室内空気調整用壁部４は多孔であるため汚れが付着しやすいが、壁２の下部に設けてあるので、壁２の中間部に比べて居室１内にいる人の目線から遠くて汚れが目立ち難いものであり、しかも壁２の下部であるため汚れが付着しても簡単に掃除して汚れの除去ができる。
【００２５】
したがって、居室１の壁２全体、天井１１全体を綺麗に保つことができるものである。
【００２６】
ところで、上記のような構成の壁２は、壁２の上下方向を形成するに当たって、室内空気調整用壁部４となった下部、耐汚染性壁部３となった中間部及び上部が上下方向において一体となった内装用壁パネルにより形成してもよく、また、耐汚染性壁部３となった下部用の内装用壁パネルと、これとは別体の耐汚染性壁部３となった中間部及び上部が一体になった内装用壁パネルとの２種類の内装用壁パネルにより構成してもよい。
【００２７】
以下、上記の壁２に使用する内装用壁パネル１０として、室内空気調整用壁部４となった下部、耐汚染性壁部３となった中間部、上部とが上下方向において一体となった一枚ものの内装用壁パネル１０の例につき説明する。
【００２８】
図２には室内空気調整用壁部４となった下部、耐汚染性壁部３となった中間部、上部とが上下方向において一体となった内装用壁パネル１０の一実施形態が示してある。
【００２９】
本実施形態における内装用壁パネル１０は、上下方向の長さが居室１の壁２の上下方向の長さと同じ長さ（つまり床から天井までの長さ）の板状をした基材５により主体が構成してあり、該基材５は調湿性を有する多孔質材料を含有するものである。基材５としては、例えば、セメント、消石灰、スラグ、フライアッシュ、珪砂などの水硬性材料６０〜８０重量％、珪藻土、アロフェン、ゼオライトなどの多孔質で調湿性、吸着性を有する多孔質材料を１０〜３０重量％、パルプ３〜１０重量％、合成繊維０〜１重量％の配合割合となったものである。
【００３０】
この基材５の表面の上下方向の中間部及び上部には耐汚染性塗装層６を形成してある。耐汚染性塗装層６は、例えば、ウレタン塗料やアクリル系ＵＶ塗料を塗装して表面に緻密な膜を形成することで構成される。ウレタン塗料を塗装して耐汚染性塗装層６を形成する場合、例えば日本ペイント社製の「リノール」を使用し、乾燥状態で１０〜５０ｇ／ｍ２となるように塗装することで耐汚染性塗装層６を形成する。また、ＵＶ塗料を塗装して耐汚染性塗装層６を形成する場合、例えば日本ペイント社製の「ＵＶコート６０」を使用し、乾燥状態で２０〜１００ｇ／ｍ２となるように塗装することで耐汚染性塗装層６を形成する。
【００３１】
基材５の表面の下部には通気性塗料を塗装した通気性塗装層７又は／及び揮発性有機化合物を吸着・分解する機能を有する塗料を塗装した塗装層を形成してある。
【００３２】
通気性塗料としては、例えば、アクリルウレタン樹脂に体質顔料として炭酸カルシウムやタルクを混合したものである。具体例としては、アクリルウレタン樹脂１００重量部、体質顔料として炭酸カルシウムやタルクを２０〜６０重量部混合したもので、体質顔料として炭酸カルシウムやタルクを２０〜６０重量部混合することでポーラスとなって通気性を有する通気性塗装層７を形成することができる。
【００３３】
通気性塗料としては、例えば、アクリルウレタン樹脂に体質顔料として炭酸カルシウムやタルクを混合したものであり、アクリルウレタン樹脂１００重量部、体質顔料として炭酸カルシウムやタルクを２０〜６０重量部混合することでポーラスとなって通気性を有するものを例示することができる。
【００３４】
また、揮発性有機化合物を吸着・分解する機能を有する塗料としては、三木理研工業社製の「リケンレジンＦＣ」や大塚化学社製の「ケムキャッチ」等を挙げることができ、これらはいずれも尿素系のものである。この「リケンレジンＦＣ」や大塚化学社製の「ケムキャッチ」を吹き付けなどで塗布するとポーラスとなって通気性を有する塗装層となる。
【００３５】
そして、基材５の表面の下部に図２の実施形態のように通気性塗料を塗布して通気性塗装層７のみを形成したり、あるいは、図示を省略しているが、揮発性有機化合物を吸着・分解する機能を有する塗料を塗布して揮発性有機化合物を吸着・分解する塗装層を形成したり、あるいは、図示を省略しているが、揮発性有機化合物を吸着・分解する塗装層が通気性を有している場合には、該揮発性有機化合物を吸着・分解する通気性を有する塗装層と、これとは別の通気性塗装層７を重ねて形成したりする。
【００３６】
ここで、基材５の表面の下部に通気性塗料を塗装した場合には、通気性塗装層７から湿気が通気して調湿性を有する多孔質材料を含有する基材５に吸湿されたり、逆に基材５から通気性塗装層７を通気して湿気が室内に放湿されたりするものであり、したがって、この通気性塗装層７および通気性塗装層７の裏面の調湿性を有する基材５の下部の部分が内装用壁パネル１０の下部における室内空気調整用壁部４を構成している。この場合、基材５の上下方向の中間部、上部においても調湿性を有する多孔質材料を含んでいるので、この部分においても表面下部の通気性塗装層７を介して湿気の吸放出ができて調湿機能があるので、より、調湿効果が期待できるものであるが、基材５の全体にわたって調湿性を有する多孔質材料を含有するものにのみ限定されず、基材５の下部にのみ調湿性を有する多孔質材料を含有するものであってもよい。
【００３７】
また、基材５の表面の下部に揮発性有機化合物を吸着・分解する機能を有する塗料により塗装層を形成した場合にはこの部分が内装用壁パネル１０の下部における室内空気調整用壁部４を構成することになる。また、揮発性有機化合物を吸着・分解する機能を有する塗料として上記したようにポーラスで通気性を有する塗装層を形成するようなものを使用した場合は、該揮発性有機化合物を吸着・分解する機能を有する塗料が通気性塗料を兼用し、揮発性有機化合物を吸着・分解する機能を有する塗料により上記のように揮発性有機化合物を吸着・分解するだけでなく、通気をして湿気が通気して調湿性を有する多孔質材料を含有する基材５に吸湿されたり、逆に基材５から通気性塗装層７を通気して湿気が室内に放湿されたりする。
【００３８】
また、揮発性有機化合物を吸着・分解する機能を有する塗料として上記したようにポーラスで通気性を有する塗装となるものを使用する場合、更に、揮発性有機化合物を吸着・分解する機能を有する塗料の表面側又は裏面側別の通気性塗料を重ねて塗装してもよい。
【００３９】
しかして、本実施形態の内装用壁パネル１０は、一枚の内装用壁パネル１０を施工するのみで、居室１の壁２の下部、中間部、上部を一度に構成でき、これを横方向に複数並べるように施工していくことにより上記した作用を有する居室１の壁２を簡単に形成することができるものである。
【００４０】
次に、内装用壁パネル１０の他の実施形態を図３に基いて説明する。
【００４１】
本実施形態における内装用壁パネル１０は、上下方向の長さが居室１の壁２の上下方向の長さと同じ長さ（つまり床から天井までの長さ）の板状をした無機質基材８により主体が構成してあり、該無機質基材８は例えばセメント、消石灰、スラグ、フライアッシュ、珪砂などの水硬性材料９０〜９７重量％、パルプ３〜１０重量％、合成繊維０〜１重量％の配合割合となったものである。無機質基材８の表面下部は後方に凹んだ段面部１３となっている。
【００４２】
この無機質基材８の表面の上下方向の中間部及び上部には耐汚染性塗装層６を形成してある。耐汚染性塗装層６は、例えば、ウレタン塗料やアクリル系ＵＶ塗料を塗装することで形成される。ウレタン塗料を塗装して耐汚染性塗装層６を形成する場合、例えば日本ペイント社製の「リノール」を使用し、乾燥状態で１０〜５０ｇ／ｍ２となるように塗装することで耐汚染性塗装層６を形成する。また、ＵＶ塗料を塗装して耐汚染性塗装層６を形成する場合、例えば日本ペイント社製の「ＵＶコート６０」を使用し、乾燥状態で２０〜１００ｇ／ｍ２となるように塗装することで耐汚染性塗装層６を形成する。
【００４３】
無機質基材８の表面下部の段面部１３には、調湿性を有する多孔質材料を含有する下地材９を積層する。調湿性を有する多孔質材料を含有する下地材９は、例えば、セメント、消石灰、スラグ、フライアッシュ、珪砂などの水硬性材料６０〜８０重量％、珪藻土、アロフェン、ゼオライトなどの多孔質で調湿性、吸着性を有する多孔質材料を１０〜３０重量％、パルプ３〜１０重量％、合成繊維０〜１重量％の配合割合となったもので、板状に成形してあって段面部１３に取着してある。
【００４４】
上記無機質基材８の表面下部の段面部１３に取着した調湿性を有する多孔質材料を含有する下地材９の表面には通気性塗料を塗装した通気性塗装層７又は／及び揮発性有機化合物を吸着・分解する機能を有する塗料を塗装した塗装層を形成してある。
【００４５】
通気性塗料としては、例えば、アクリルウレタン樹脂に体質顔料として炭酸カルシウムやタルクを混合したものである。具体例としては、アクリルウレタン樹脂１００重量部、体質顔料として炭酸カルシウムやタルクを２０〜６０重量部混合したもので、体質顔料として炭酸カルシウムやタルクを２０〜６０重量部混合することでポーラスとなって通気性を有する通気性塗装層７を形成することができる。
【００４６】
また、揮発性有機化合物を吸着・分解する機能を有する塗料としては、三木理研工業社製の「リケンレジンＦＣ」や大塚化学社製の「ケムキャッチ」等のものが用いられ、いずれも尿素系のものである。この「リケンレジンＦＣ」や大塚化学社製の「ケムキャッチ」を吹き付けなどで塗布するとポーラスとなって通気性を有する塗装層を形成できる。
【００４７】
そして、基材５の表面の下部に図３の実施形態のように通気性塗料を塗布して通気性塗装層７のみを形成したり、あるいは、図示を省略しているが、揮発性有機化合物を吸着・分解する機能を有する塗料を塗布して揮発性有機化合物を吸着・分解する塗装層を形成したり、あるいは、図示を省略しているが、揮発性有機化合物を吸着・分解する塗装層が通気性を有している場合には、該揮発性有機化合物を吸着・分解する塗装層と、これとは別の通気性塗装層７を重ねて形成したりする。
【００４８】
下地材９の表面の下部に通気性塗料を塗装した場合には、通気性塗装層７から湿気が通気して調湿性を有する多孔質材料を含有する下地材９に吸湿されたり、逆に下地材９から通気性塗装層７を通気して湿気が室内に放湿されたりするものであり、したがって、この部分が内装用壁パネル１０の下部における室内空気調整用壁部４を構成している。
【００４９】
また、下地材９の表面の下部に揮発性有機化合物を吸着・分解する機能を有する塗料を塗装した塗装層を形成した場合にはこの部分が内装用壁パネル１０の下部における室内空気調整用壁部４を構成することになる。また、揮発性有機化合物を吸着・分解する機能を有する塗料として上記したようにポーラスで通気性を有する塗装層を形成するようなものを使用した場合は、該揮発性有機化合物を吸着・分解する機能を有する塗料が通気性塗料を兼用し、揮発性有機化合物を吸着・分解する機能を有する塗料により上記のように揮発性有機化合物を吸着・分解するだけでなく、通気をして湿気が通気して調湿性を有する多孔質材料を含有する基材５に吸湿されたり、逆に基材５から通気性塗装層７を通気して湿気が室内に放湿されたりする。
【００５０】
また、揮発性有機化合物を吸着・分解する機能を有する塗料として上記したようにポーラスで通気性を有する塗装となるものを使用する場合、更に、揮発性有機化合物を吸着・分解する機能を有する塗料の表面側又は裏面側別の通気性塗料を重ねて塗装してもよい。
【００５１】
しかして、本実施形態の内装用壁パネル１０は、前述の内装用壁パネル１０と同様に、一枚の内装用壁パネル１０を施工するのみで、居室１の壁２の下部、中間部、上部を一度に構成でき、これを横方向に複数並べるように施工していくことにより上記した作用を有する居室１の壁２を簡単に形成することができるものである。しかも、本実施形態においては、コストの高い調湿性を有する多孔質材料を含有する下地材９を無機質基材８の表面の下部に設けるだけでよいので、低コストとなる。
【００５２】
次に、内装用壁パネル１０の更に他の実施形態を図４により説明する。本実施形態においては、前述の図２や図３に示す内装用壁パネル１０において、上下方向の中間部及び上部の表面を構成する耐汚染性塗装層６と、下部の表面を構成する通気性塗装層７又は／及び揮発性有機化合物を吸着・分解する機能を有する塗装層との、色又は模様又は光沢又は表面の突出状態又はこれらの２つ以上の組み合わせ状態を異ならせることで外観を変えてある。図４（ａ）は図２に示す内装用壁パネル１０に対応し、図４（ｂ）が図３に示す内装用壁パネル１０に対応している。図４（ａ）、（ｂ）のように、内装用壁パネル１０の中間部及び上部の外観と、下部の外観とを異ならせることで、内装用壁パネル１０の天地（つまりどちらが上でどちらが下か）が一目で判るようにしてあり、これにより、前述のように、中間部、上部と下部とで機能が異なる一枚ものの内装用壁パネル１０を施工するに当たって、内装用壁パネル１０の天地の区別が容易につき、誤って上下逆に施工するおそれがないものである。しかも、下部の表面が中間部及び上部と異なった外観となることで、下部が腰壁として外観されて腰壁付き内装用壁パネルとなり、意匠性も向上し、商品価値が高くなる。
【００５３】
ここで、本実施形態において内装用壁パネル１０の下部の表面に施される模様や、中間部と上部の表面に施される模様としては、印刷や塗装等による模様、プレスや切削等により形成される表面凹凸による模様等何れのものであってもよい。
【００５４】
また、表面の突出状態を異ならせるとは図示を省略しているが内装用壁パネル１０の下部の表面を中央部及び上部の表面よりも前方に突出させるか又は後方に凹ませることである。
【図面の簡単な説明】
【００５５】
【図１】本発明の壁構造を備えた居室の一例を示す概略断面図である。
【図２】同上に使用する内装用壁パネルの一実施形態を示し、（ａ）は斜視図であり、（ｂ）は断面図である。
【図３】同上に使用する内装用壁パネルの他の実施形態を示し、（ａ）は斜視図であり、（ｂ）は断面図である。
【図４】（ａ）（ｂ）はそれぞれ同上に使用する内装用壁パネルの更に他の実施形態の斜視図である。
【符号の説明】
【００５６】
１  居室
２  壁
３  耐汚染性壁部
４  室内空気調整用壁部
５  基材
６  耐汚染性塗装層
７  通気性塗装層
８  無機質基材
９  下地材
１０  内装用壁パネル
【図１】
2005336838.tif 000003
【図２】
2005336838.tif 000004
【図３】
2005336838.tif 000005
【図４】
2005336838.tif 000006